(57)【特許請求の範囲】
【請求項１】
外側の紙容器本体と、該紙容器本体に非接着の重合２層に配置した内側の飲料充填用軟質樹脂系の充填容器を備え、上記紙容器本体に対する充填容器の非接着重合２層の配置を、充填容器形成用シート又はフィルムに対する上記紙容器本体の通気性を利用した真空吸引の吸引力と圧搾空気放出の加圧力によって紙容器本体の内面形状に合せた袋状の剥離自在にして一体的且つ緊密に密着成形して、ストロー吸引時の充填容器内エアスペース形成防止による非正立状態の飲用と紙容器本体に対する充填容器形状自在性の緩衝性確保による飲料飛び出し防止を自在としてなることを特徴とする飲用容器。
【請求項２】
外側の紙容器本体と、該紙容器本体に非接着の重合２層に配置した内側の飲用充填用軟質樹脂系の充填容器を備え、ストロー吸引時の充填容器内エアスペース形成防止による非正立状態の飲用と紙容器本体に対する充填容器形状自在性の緩衝性確保による飲料飛び出し防止を自在とした飲用容器の製造方法であって、密封可能な金型内に紙容器本体を装着し、該紙容器本体に予備加熱した軟質合成樹脂のシート又はフィルムを載置し、上記金型内の紙容器本体の外側からその紙の通気性を利用した真空吸引と上面から圧搾空気放出を行なうことによって該シート又はフィルムを紙容器本体の内面形状に合せた袋状の剥離自在にして一体的且つ緊密に密着成形することを特徴とする飲用容器の製造方法。
【発明の詳細な説明】
【０００１】
【発明の属する技術分野】
本発明は、ストローによって、ジュース、ゼリー飲料等の飲料を吸引飲用するように用いる飲用容器及びその製造方法に関する。
【０００２】
【従来の技術及び発明が解決しようとする課題】
この種ストローによって飲料を吸引飲用する飲用容器として、例えばブリック容器、コップ容器、シート成型容器等の密封容器を用いたものが知られているが、これらは、ストローを介して吸引飲用するために、ある程度の飲用によって飲料が飲用容器内で減少したときは、容器を正立状態に維持しないと、残量を吸引飲用することが困難になる傾向が強く、例えばベッドに横臥した病人、被介護者、乳幼児等にあっては、その横臥したまま残量を残すことなく吸引飲用することができないという問題点が残されており、またブリック容器に典型的に見られるように、飲用容器の材質によっては、吸引飲用の途中で飲用容器をやや強く握る等、飲用容器が外力を受けたときには、その加圧力によって飲料がストローを介して飛散状に飛び出すことになり、吸引飲用に際して飲用容器の取り扱いに注意を必要とするという問題点が残されている。
【０００３】
本発明はかかる事情に鑑みてなされたもので、その解決課題とするところは、傾斜したり、転倒したりする状態を含めて、容器を非正立の状態としても常に残量を残さずに吸引飲用することが可能であるとともに容器の取り扱いの如何を問わずに飲料の飛び出しの可能性を可及的に防止できるようにした飲用容器を提供し、また該飲用容器の製造方法を提供するにある。
【０００４】
【課題を解決するための手段】
上記課題に添って本発明は、陳列販売、保管等を容易に行なうように外側に保形性を有する紙製の容器本体に、その内側に吸引飲用の吸引力によって残量に相応した容積に収縮する形状自在性を有するように軟質樹脂系の飲料充填用の充填容器を密着成形して袋状に配置し、非接着重合２層の構造によって飲用容器を構成することにより、吸引飲用に伴う充填容器内のエアスペースの形成を防止して、非正立状態における継続的な吸引飲用を可能とするともに、上記紙製の容器本体に対する充填容器形状自在性の緩衝性確保によって該紙容器本体に対する外力による飲料の飛び出しを防止するようにしたものであって、即ち請求項１に記載の発明を、外側の紙容器本体と、該紙容器本体に非接着の重合２層に配置した内側の飲料充填用軟質樹脂系の充填容器を備え、上記紙容器本体に対する充填容器の非接着重合２層の配置を、充填容器形成用シート又はフィルムに対する上記紙容器本体の通気性を利用した真空吸引の吸引力と圧搾空気放出の加圧力によって紙容器本体の内面形状に合せた袋状の剥離自在にして一体的且つ緊密に密着成形して、ストロー吸引時の充填容器内エアスペース形成防止による非正立状態の飲用と紙容器本体に対する充填容器形状自在性の緩衝性確保による飲料飛び出し防止を自在としてなることを特徴とする飲用容器としたものとし、請求項２に記載の発明は、該飲用容器の量産を簡易且つ確実に行なえる飲用容器の製造方法を提供するように、これを、外側の紙容器本体と、該紙容器本体に非接着の重合２層に配置した内側の飲用充填用軟質樹脂系の充填容器を備え、ストロー吸引時の充填容器内エアスペース形成防止による非正立状態の飲用と紙容器本体に対する充填容器形状自在性の緩衝性確保による飲料飛び出し防止を自在とした飲用容器の製造方法であって、密封可能な金型内に紙容器本体を装着し、該容器本体に予備加熱した軟質合成樹脂のシート又はフィルムを載置し、上記金型内の紙容器本体の外側からその紙の通気性を利用した真空吸引と上面から圧搾空気放出を行なうことによって該シート又はフィルムを紙容器本体の内面形状に合せた袋状の剥離自在にして一体的且つ緊密に密着成形することを特徴とする飲用容器の製造方法とし、これらをそれぞれ発明の要旨として上記課題解決の手段としたものである。
【０００５】
【発明の実施の形態】
以下図面の例に従って本発明を更に具体的に説明すれば、Ａは、ストロー３０によって飲料を吸引飲用する、別添のストロー３０を備えた飲用容器であり、該飲用容器Ａは、外側の紙容器本体１０と、該紙容器本体１０に非接着の重合２層に配置した内側の飲料充填用軟質樹脂系の充填容器２０を備え、上記紙容器本体１０に対する充填容器２０の非接着重合２層の配置は、これを、充填容器形成用シート又はフィルム２１に対する上記紙容器本体１０の通気性を利用した真空吸引の吸引力と圧搾空気放出の加圧力によって紙容器本体１０の内面形状に合せた袋状の剥離自在にして一体的且つ緊密に密着成形して、ストロー３０吸引時の充填容器２０内エアスペース形成防止による非正立状態の飲用と紙容器本体１０に対する充填容器２０形状自在性の緩衝性確保による飲料飛び出し防止を自在としたものとしてある。
【０００６】
即ち、外側の紙容器本体１０は、紙を用いて構成したコップ形状のものとするとともに、その上端開口部を、該上端開口部外周に形成した口縁部１１に接着してこれを被覆密封し、吸引飲用側をなすようにストロー差込口１３を設けたラミネートフィルムによる密封シール１２を備えて密封した容器としてある。
【０００７】
内側の飲料充填用軟質樹脂系の充填容器２０は、例えば低密度ポリエチレン、ポリプロピレン等の熱可塑性樹脂の単体の樹脂シート乃至フィルム又は熱可塑性樹脂のラミネートフィルム等の複合フィルムによる樹脂系シート乃至フィルム２１を用いて構成した、飲用容器Ａにおいて袋状の内容器をなし飲料を充填し得るものとしてある。
【０００８】
充填容器２０は、これを、紙容器本体１０の吸引飲用側において部分的に接着保持するとともに該接着保持部分を除く飲料充填部分を上記紙容器本体１０の内面に対して上記非接着の重合２層状に配置して、上記ストロー３０による吸引飲用の量に応じて該充填容器２０の容積を収縮する紙容器本体１０内の形状自在性を保有したものとしてある。
【０００９】
本例において上記充填容器２０は、本例において上記コップ形状の紙容器本体１０における吸引飲用側をなす上端開口部側の口縁部１１に対して、その上端縁部を部分的に接着して、これを紙容器本体１０に保持するようにする一方、該接着保持部分を除くその余の飲料充填部分、即ち充填容器２０の殆ど全部を、上記
紙容器本体１０の通気性を利用した真空吸引の吸引力と圧搾空気放出の加圧力によって、コップ形状の紙容器本体１０の内面に非接着のまま、これに重合２層状として配置し、これを紙容器本体１０の形状に合わせたコップ形状の袋状としてある。
【００１０】
このとき該飲用容器Ａの製造方法は、これを、密封可能な金型４０内に紙容器本体１０を装着し、該容器本体に予備加熱した軟質合成樹脂のシート又はフィルム２１を載置し、上記金型内の紙容器本体１０の外側からその紙の通気性を利用した真空吸引と上面から圧搾空気放出を行なうことによって該シート又はフィルム２１を紙容器本体１０の内面形状に合せた袋状の剥離自在にして一体的且つ緊密に密着成形するものとしてある。
【００１１】
即ち、本例にあっては、密封可能の金型４０内に予め成型したコップ形状の上記紙容器本体１０を装着し、その上端開口部上に、可塑成型可能な温度に予備加熱した熱可塑性樹脂を使用した樹脂系シート乃至フイルム２１を載置し、吸引孔４１を介して紙容器本体１０の底面から該紙容器本体１０内を吸引するように真空吸引、本例にあっては真空成型を施すとともに金型４０の密封状態で、エアノズル４２を介して樹脂シート乃至フィルム２１の上面に対して圧搾空気の放出を施し、真空吸引の吸引力を主の成型手段とし、圧搾空気の加圧力を補助の成型手段として、その成型とこれによる紙容器本体１０への装着を行なったものとしてあり、また該成型時に同時に上記紙容器本体１０の口縁部１１に対する接着を行なってあり、即ち本例においては上記金型４０における口縁部１１位置近傍を加熱することによって、樹脂シート乃至フイルム２１の縁部を紙容器本体１０に対して加熱溶着することによって、その接着を行なったものとしてある。
【００１２】
上記真空吸引は、紙容器本体１０の紙の通気性を利用して、その内部の吸引を行ない且つ圧搾空気の放出は樹脂シート乃至フィルム２１に直接行なうようにしてあり、これによって樹脂シート乃至フィルム２１は、紙容器本体１０の内面に好ましく密着して一体化した美麗な成型を行なうことが可能になる。
【００１３】
このように形成した飲用容器Ａにおいて、紙容器本体１０はその吸引飲用側の口縁部１１に充填容器２０を部分的に接着保持する一方、その飲料充填部分を紙容器本体１０の内面に対して非接着の重合２層状に配置したものとなるから、これに飲料を供給した後、上記密封シール１２による密封を施すことによって出荷状態とすることができ、従って需要者は、上記ラミネートフィルムによる密封シール１２のストロー差込口１３から、これを塞ぐように露出した樹脂フィルム層を破断するようにストロー３０を差込み挿入して該ストロー３０によって飲料を吸引飲用するようにすれば、ストロー差込口１３がストロー３０を弾発的に気密状態に保持し空気の流入を防止し乍らの吸引飲用を可能とするとともに、該ストロー３０による吸引飲用の量に応じて該充填容器２０の容積を収縮する紙容器本体１０内の形状自在性を保有することになり、従って、ストロー３０吸引時の充填容器２０内エアスペース形成防止による非正立状態の飲用と紙容器本体１０に対する充填容器２０形状自在性の緩衝性確保による飲料飛び出し防止を自在として、病人、被介護者、乳幼児等のベッド横臥状態を含めて、飲用容器Ａの非正立状態における残量を残すことのない吸引飲用が可能となる。
【００１４】
このとき飲用容器Ａに別添のストロー３０は、充填容器２０内の吸引飲用側近傍を飲料吸入位置とするように長手方向中間位置の側面に単一又は複数の吸込孔３１を透設具備したものとしてあり、本例において該ストロー３０は、例えばその長さを飲用容器Ａよりやや長い中空パイプ状のものとして、その差込み挿入時に飲用容器Ａ内への没入を防止するようにするとともに、差込み挿入の状態において、充填容器２０における内側上方の差込み挿入口１３近傍に位置する側面に単一の吸込孔３１を透設したものとしてあり、これによって該側面の吸込孔３１から飲料を導入し、その吸引飲用を可能ならしめるようにしてある。
【００１５】
即ちストロー３０は該吸込孔３１と先端の長手方向に貫通するパイプ透孔の２カ所の孔を有するが、吸引飲用に際して飲料の導入は、気密状態の充填容器２０においては、その吸引飲用側、即ちストロー３０の差込み挿入口１３に近い側の孔、即ち吸込孔３１から行なわれることになるから、吸引飲用と充填容器２０の収縮を的確に行なうことが可能となる。
【００１６】
図示した例は以上のとおりとしたが、本発明の実施に当たって、飲用容器、紙容器本体、充填容器、シート又はフィルム等の各具体的形状、構造、材質、これらの関係、これらに対する付加、飲用容器の製造方法等は、上記発明の要旨に反しない限り様々な形態のものとすることができる。
【００１７】
【発明の効果】
本発明は以上のとおりに構成したから、請求項１に記載の発明は、陳列販売、保管等を容易に行なうように外側の保形性を有する紙容器本体を、その内側に吸引飲用の吸引力によって残量に相応した容積に収縮する形状自在性を有するように軟質樹脂系の飲料充填用の充填容器を密着成形して袋状に配置し、これら紙容器本体と充填容器を非接着重合２層の構造として飲用容器を構成することにより、吸引飲用に伴う充填容器内のエアスペースの形成を防止して、非正立状態における継続的な吸引飲用を可能とするともに、上記紙製の容器本体の緩衝性によって該紙容器本体に対する外力による飲料の飛び出しを防止するようにして、傾斜したり、転倒したりする状態を含めて、容器を非正立の状態としても常に残量を残さずに吸引飲用することが可能であるとともに容器の取り扱いの如何を問わずに飲料の飛び出しの可能性を可及的に防止できるようにした飲用容器を提供することができ、また、請求項２に記載の発明は、該飲用容器の製造方法を提供することができる。
【図面の簡単な説明】
【図１】飲用容器の分解斜視図である。
【図２】飲用容器の吸引飲用時の状態を示す縦断面図である。
【図３】飲用容器の製造方法の例を示す説明用の縦断面図である。
【符号の説明】
Ａ  飲用容器
１０  紙容器本体
２０  充填容器
３０  ストロー
３１  吸込孔
４０  金型
４１  吸引口
４２  エアノズル
【図１】
0004303357.tif 000002
【図２】
0004303357.tif 000003
【図３】
0004303357.tif 000004